(57)【要約】      （修正有）【課題】各種分野における信号として用いることを可能とする信号用手袋を提供する。【解決手段】手袋形状の信号用手袋３であって、手の平側の面３Ａと、手の平側の面３Ａと異なる色の手の甲側の面３Ｂとを備えることで、各種分野における信号として用いることを可能とする。【選択図】図３
0003224085.tif 000002
【実用新案登録請求の範囲】
【請求項１】
手袋形状の信号用手袋であって、
手の平側の面と、
前記手の平側の面と異なる色の手の甲側の面とを備える
ことを特徴とする信号用手袋。
【請求項２】
前記手の平側の面及び前記手の甲側の面のうちいずれか一方は、その一部が他方と同色である
ことを特徴とする請求項１に記載の信号用手袋。
【請求項３】
前記手の平側の面には第１塗料が塗布されており、
前記手の甲側の面には第２塗料が塗布されている
ことを特徴とする請求項１に記載の信号用手袋。
【請求項４】
前記手の平側の面及び前記手の甲側の面のうちいずれか一方のみに塗料が塗布されている
ことを特徴とする請求項１に記載の信号用手袋。
【請求項５】
前記塗料は反射塗料である
ことを特徴とする請求項３又は４に記載の信号用手袋。
【請求項６】
前記塗料は蛍光塗料である
ことを特徴とする請求項３又は４に記載の信号用手袋。
【考案の詳細な説明】
【技術分野】
【０００１】
本考案は、信号用手袋に関するものである。
【背景技術】
【０００２】
例えば下記特許文献１に示すような従来の手袋は、周知のように、防寒、汚れ止め、怪我防止、滑り止め、あるいはファッションのために使用される。
【先行技術文献】
【特許文献】
【０００３】
【特許文献１】特表２０１８−５１４６５４号公報
【考案の概要】
【考案が解決しようとする課題】
【０００４】
本考案は、各種分野における信号として用いることを可能とする信号用手袋を提供することを目的とする。
【課題を解決するための手段】
【０００５】
上記課題を解決するための第１の考案に係る信号用手袋は、
手袋形状の信号用手袋であって、
手の平側の面と、
前記手の平側の面と異なる色の手の甲側の面とを備える
ことを特徴とする。
【０００６】
上記課題を解決するための第２の考案に係る信号用手袋は、
上記第１の考案に係る信号用手袋において、
前記手の平側の面及び前記手の甲側の面のうちいずれか一方は、その一部が他方と同色である
ことを特徴とする。
【０００７】
上記課題を解決するための第３の考案に係る信号用手袋は、
上記第１の考案に係る信号用手袋において、
前記手の平側の面には第１塗料が塗布されており、
前記手の甲側の面には第２塗料が塗布されている
ことを特徴とする。
【０００８】
上記課題を解決するための第４の考案に係る信号用手袋は、
上記第１の考案に係る信号用手袋において、
前記手の平側の面及び前記手の甲側の面のうちいずれか一方のみに塗料が塗布されている
ことを特徴とする。
【０００９】
上記課題を解決するための第５の考案に係る信号用手袋は、
上記第３又は４の考案に係る信号用手袋において、
前記塗料は反射塗料である
ことを特徴とする。
【００１０】
上記課題を解決するための第６の考案に係る信号用手袋は、
上記第３又は４の考案に係る信号用手袋において、
前記塗料は蛍光塗料である
ことを特徴とする。
【考案の効果】
【００１１】
本考案に係る信号用手袋によれば、各種分野における信号として用いることが可能となる。
【図面の簡単な説明】
【００１２】
【図１】本考案の実施例１に係る信号用手袋の構成を説明する模式図である。
【図２】本考案の実施例２に係る信号用手袋の構成を説明する模式図である。
【図３】本考案の実施例３に係る信号用手袋の構成を説明する模式図である。
【図４】本考案の実施例４に係る信号用手袋セットの構成を説明する模式図である。
【考案を実施するための形態】
【００１３】
以下、本考案に係る信号用手袋について、実施例にて図面を用いて説明する。
【００１４】
［実施例１］
図１に示す本実施例に係る信号用手袋（信号用手袋１）は、使用者の手に装着可能な手袋形状のものであり、全体に塗料（反射塗料あるいは蛍光塗料）１１が塗布されている。この塗料１１は例えば赤色又は赤系統の色とする。
【００１５】
使用者は、手に信号用手袋１を装着した状態で、その手を上下左右前後に動かすことにより、周囲の作業者に対して信号を送ることができる。具体的には、道路の交通整理における合図、港湾のクレーン作業における合図、建築／建設現場のレッカー／クレーン作業における合図、鉄道敷設内における合図、あるいは、駅ホーム内における合図等が挙げられる。
【００１６】
すなわち、信号用手袋１は、塗料１１が塗布されていることで周囲から視認しやすく、特に夜間であっても視認可能となるため、使用者の手に装着することで、各種分野における信号に用いることができる。
【００１７】
［実施例２］
本実施例に係る信号用手袋は、実施例１に係る信号用手袋１の構成に加え、「膜」を備えるものである。
【００１８】
図２に示す本実施例に係る信号用手袋（信号用手袋２）は、図１の信号用手袋１における、各指にそれぞれ装着可能な指装着部２１〜２５間に、それぞれ膜４１〜４４が架設されている。
【００１９】
この点について詳述する。まず、信号用手袋１の各指装着部２１〜２５において、互いに隣の指装着部側を向く面を「側面」２１ａ〜２５ａと呼称するものとし、信号用手袋１において、指の付け根（各指同士の間を広げたときに伸びる、各基節骨の根元同士の間の皮あたり）を覆う部分を「付け根被覆端部」３１〜３４とする。
【００２０】
すると、信号用手袋２における各膜４１〜４４の内側端部４１ａ〜４４ａは、側面２１ａ〜２５ａ、及び、付け根被覆端部３１〜３４に、それぞれ固定されている。
【００２１】
そして、各膜４１〜４４は可撓性を有し伸縮自在な材質である。さらに、この膜４１〜４４にも実施例１で使用した塗料１１が塗布されている。
【００２２】
このようにして信号用手袋２は、膜４１〜４４を備えることで、実施例１に係る信号用手袋１に比べ塗料１１が塗布された面積が増加するため、周囲からさらに視認しやすくなる。
【００２３】
［実施例３］
図３に示す本実施例に係る信号用手袋（信号用手袋３）は、手の平側の面３Ａ及び手の甲側の面３Ｂを備えることにより、使用者の手に装着可能な手袋形状となっているものであり、（ａ）に示す手の平側の面３Ａと、（ｂ）に示す手の甲側の面３Ｂとが異なる色となっている。
【００２４】
具体的には、まず、手の平側の面３Ａには、塗料（反射塗料あるいは蛍光塗料）１１が塗布されている。この塗料１１は例えば赤色又は赤系統の色とする。
【００２５】
また、塗料１１は、手の平側の面３Ａの全体（手首の位置まで）に塗布されているものとせず、一部、例えば手首の位置以外に、塗布されるようにしてもよい。
【００２６】
手の平側の面３Ａを赤くするのは、通常の手袋の手の平側の面に塗料１１を塗布することで作製してもよいが、例えば、通常の手袋の手の平側の面の上から赤色の布又はゴムを張ることで作製する、あるいは、初めから赤色の布を用いて手の平側の面３Ａを作製する等にしてもよい。ただし、通気性を有する素材を用いた方が好ましい。
【００２７】
一方、手の甲側の面３Ｂについては、例えば白色又は黄色等とする。これは、塗料を塗布しないことで白色又は黄色（つまり素材そのものの色が白又は黄色）としてもよいが、後述する実施例４における塗料１２のような白色又は黄色の塗料（反射塗料あるいは蛍光塗料）を塗布することで作製してもよい。
【００２８】
なお、手の平側の面３Ａの塗料１１が一部に塗布され、かつ、手の甲側の面３Ｂは塗料を塗布しない場合、手の平側の面３Ａの塗料１１が塗布されていない部分は、当然手の甲側の面３Ｂと同色（素材そのものの白色又は黄色）となる。ただし、この状態において、塗料１１の塗布される範囲が手の平側の面３Ａを越えて手の甲側の面３Ｂに及ぶことはない。
【００２９】
使用者は、信号用手袋３を手に装着した状態で、その手を上下左右前後に動かすことにより、実施例１に係る信号用手袋１と同様、周囲の作業者に対して信号を送ることができる。
【００３０】
また、信号用手袋３は、手の平側の面３Ａと、手の平側の面３Ａと異なる色の手の甲側の面３Ｂとを備えることで、周囲の作業者に対して、手を反転させ手の平側の面３Ａと手の甲側の面３Ｂとを切り替えて見せることができるので、実施例１に係る信号用手袋１と比べ、より細かい指示内容の信号を出すことができる。
【００３１】
なお、手の平側の面３Ａと手の甲側の面３Ｂとは、上述した互いの色や作製方法が逆であってもよい。また、信号用手袋３は、実施例２のように膜を備えるようにしてもよい。
【００３２】
［実施例４］
図４に示す本実施例に係る信号用手袋セットは、一対の手袋からなり、そのうち一方を、実施例１に係る信号用手袋１、又は、実施例２に係る信号用手袋２とする。以下では、実施例１に係る信号用手袋１が一対の手袋のうち一方である場合について説明する。
【００３３】
一対の手袋のうち他方は、信号用手袋１と対称の形状であり、信号用手袋１に塗布された塗料と異なる色の塗料１２が全体に塗布されている信号用手袋４とする。ただし、この塗料１２は、反射塗料あるいは蛍光塗料であり、例えば白色とする。
【００３４】
使用者は、本実施例に係る信号用手袋セットを両手に装着した状態で、その両手を上下左右前後に動かすことにより、実施例１同様、周囲の作業者に対して信号を送ることができる。
【００３５】
また、本実施例に係る信号用手袋セットは、左右の手袋の色が異なるため、実施例１，２に比べ、より細かい指示内容の信号を出すことができる。
【００３６】
なお、信号用手袋４は、実施例３の手の甲側の面２Ｂで説明した、塗料を塗布しないことで素材そのものの色（白色又は黄色）としてもよい。
【００３７】
従来、例えば鉄道敷設時においては、赤白の手旗を用いて合図を出していたが、この方法だと、両手の掌（特に指）が空かない為、危険が生じた場合に即座に対応することができない。
【００３８】
一方、本実施例に係る信号用手袋セットを用いれば、掌が空いているので、敷設位置が高所あるいは鉄橋内等、足場の不安定な場所でも、自身の安全を確保しながら合図を出すことができる。
【００３９】
なおこの点については、上記実施例１〜３に係る各信号用手袋を両手又は片手に装着した場合であっても、Ｇｏ／Ｓｔｏｐの信号を送ることができるため、やはり自身の安全を確保しながら合図を出すことができる。
【産業上の利用可能性】
【００４０】
本考案は、信号用手袋、及び、信号用手袋セットとして好適である。
【符号の説明】
【００４１】
１〜４  信号用手袋
３Ａ  手の平側の面
３Ｂ  手の甲側の面
１１，１２  塗料
２１〜２５  指装着部
２１ａ〜２５ａ  側面
３１〜３４  付け根被覆端部
４１〜４４  膜
４１ａ〜４４ａ  内側端部
【図１】
0003224085.tif 000003
【図２】
0003224085.tif 000004
【図３】
0003224085.tif 000005
【図４】
0003224085.tif 000006